(57)【要約】【目的】簡易にリアルタイムでかつ豊富な情報量でもって精度の高いモニタリングが可能な大気汚染モニタリングシステムを実現する。【解決手段】半導体ガスセンサを有するセンサユニットと、そこで取得した測定対象成分濃度に対応する信号を送信するための通信手段と、その通信手段を介して前記信号を取得するサーバとを備え、そのサーバは、前記センサユニットから送信される前記信号に基づいて大気中の測定対象成分の濃度演算を行うようにしている。【選択図】　　　　　図１
2004108857.tif 000002
【特許請求の範囲】
【請求項１】
大気中の測定対象成分を検出するセンサを有するセンサユニットと、そのセンサユニットにおいて取得した測定対象成分濃度に対応する信号を送信するための通信手段と、その通信手段を介して前記信号を取得するサーバとを備え、そのサーバは、前記センサユニットから送信される前記信号に基づいて大気中の測定対象成分の濃度演算行い、大気中の測定対象成分の濃度を求める大気汚染モニタリングシステム。
【請求項２】
前記センサが、大気中の測定対象成分を選択的に検出する半導体ガスセンサである請求項１に記載の大気汚染モニタリングシステム。
【請求項３】
前記センサユニットの設置場所を巡回するとともに、前記センサユニットでの測定対象成分に対応する成分の濃度を測定するガス分析装置を設けた巡回手段を備え、前記サーバは、前記ガス分析装置での測定結果を基準として校正係数を求め、その校正係数を用いて前記センサユニットからの信号に基づいて求められる大気中の測定対象成分の濃度を校正する請求項１または２に記載の大気汚染モニタリングシステム。
【発明の詳細な説明】
【０００１】
【発明の属する技術分野】
本発明は、大気汚染モニタリングシステム、詳細には、大気中のＮＯＸ、Ｏ３、ＳＯ２、ＣＯおよびＨＣなどの濃度をモニタリングするシステムに関する。
【０００２】
【従来の技術】
【特許文献１】
特開２００１−２０１４９８号公報
従来より、全国各地の大気汚染状況をモニタリングすることが行われている。そこでは、たとえば前記公開特許公報に示すような所定のガス分析装置を各地に設置し、または前記ガス分析装置を載せたマイクロバスなどの大気観測車を移動させ、大気をサンプリングしガス分析装置で測定するすることにより全国各地で大気中の前記各成分の濃度をモニタリングしていた。そして、、大気中のＮＯＸ、Ｏ３、ＳＯ２、ＣＯおよびＨＣなどの各測定対象成分に対応して規格化された測定原理を採用したガス分析装置が採用されている。
【０００３】
しかし、そのようなガス分析装置は成分毎に規格化された測定原理を採用した各成分のガス分析計を組合せ、複数成分を同時にモニタリングするものであり、濃度演算およびその校正処理も各分析装置内にて行うものであるためため、設置されるガス分析装置全体は、大掛かりかつ高価なものとならざるをえない。したがって、交通量の多い道路または交差点の周辺などに設置する場合も、広い設置スペースが必要で、またモニタリング精度を向上させるため複数のガス分析装置を設置する場合には、多大なコストを要するといった問題が生じていた。
【０００４】
また、車両を移動させモニタリングする場合、車両の移動に時間を要し、必然的にモニタリング頻度もある程度低くならざるを得なかった。また、車両の移動にも多大な手間を要し、全国各所でリアルタイムにモニタリングする場合には、前記分析装置を搭載した車両を多数用意しなければならず、モニタリングに多大なコストを要することになる。
したがって、車両を用いたモニタリングにも、多大なコストを要し、その頻度も低下せざるを得ないといった問題が生じていた。
【０００５】
【発明が解決しようとする課題】
本発明は、上記のような問題点を解決するものであり、簡易にリアルタイムでかつ豊富な情報量でもって精度の高いモニタリングが可能な大気汚染モニタリングシステムを実現するすることを課題とする。
【０００６】
【課題を解決するための手段】
上記課題を解決するために、本発明の大気汚染モニタリングシステムは、大気中の測定対象成分を検出するセンサを有するセンサユニットと、そのセンサユニットにおいて取得した測定対象成分濃度に対応する信号を送信するための通信手段と、その通信手段を介して前記信号を取得するサーバとを備え、そのサーバは、前記センサユニットから送信される前記信号に基づいて大気中の測定対象成分の濃度演算行い、大気中の測定対象成分の濃度を求めるようにしている（請求項１）。これにより、各地に設置されるセンサユニットを小型化することができるので、狭いスペースにおいても設置が可能となる。また、サーバにて集中的に演算処理を行うことにより、設置されるセンサユニットを簡易に構成することができる。したがって、センサユニットはより廉価に製造することができるので、設置台数を増加させ、リアルタイムにより多くのモニタリング信号を取得することができる。
【０００７】
また、前記大気汚染モニタリングシステムにおいて、前記センサを大気中の測定対象成分を選択的に検出する半導体ガスセンサによって構成すれば（請求項２）、光源等を設ける必要はなく、センサユニットを大気中の測定対象成分の検出に必要なもののみで、より簡易かつ小型に低コストで構成することができる。さらに、本発明では、前記大気汚染モニタリングシステムにおいて、前記センサユニットの設置場所を巡回するとともに、前記センサユニットでの測定対象成分に対応する成分の濃度を測定するガス分析装置を設けた巡回手段を備え、前記サーバは、前記ガス分析装置での測定結果を基準として校正係数を求め、その校正係数を用いて前記センサユニットからの信号に基づいて求められる大気中の測定対象成分の濃度を校正するようにしている。このように、各センサユニットに比べて高い精度で各成分を測定可能なガス分析装置での測定結果を基準にサーバで集中的に濃度校正を行うことより、簡易なシステム構成で、モニタリング情報の精度を一定水準に保つことができる。
【０００８】
【発明の実施の形態】
本発明の実施形態につき、図を参照しながら説明する。図１は、本発明に係る大気汚染モニタリングシステム１の一例を示す構成図である。大気汚染モニタリングシステム１は、センサユニット２と通信手段としての光ファイバ７とセンサユニット２から信号を取得し、濃度演算および濃度校正演算を行うサーバとしてのパソコン８とガス分析装置１３を設けた車両１２と車両１２で取得した測定信号をパソコン８に対して送信するための通信手段９とからなる。全国の大気の汚染状況をモニタリングするため、複数のセンサユニット２が全国の任意の場所に設置される。センサユニット２には、例えば環境大気の汚染状況を監視するための一般的測定局を構成するものと、特に自動車排出ガスによる汚染状況を監視するための自排測定局を構成するものとがある。後者の自排測定局としてのセンサユニットは交通量の多い道路または交差点の周辺に設置される。
【０００９】
６は、センサユニット２の設置台である。すなわち、設置台６は、雨などからセンサユニット２を保護するための屋根６ａ、センサユニット２の一部を収納する収納ボックス４が載置される載置台６ｂおよびそれを支持しセンサユニットが設置される高さを調整可能な支持ポール６ｃとからなっている。また、３は、センサユニット２の一部を構成する風向・風速センサである。この風向・風速センサは、半導体基板の中心部にパターン形成された発熱素子とその発熱素子から等距離の位置で、その発熱体の周囲にパターン形成された複数の感熱素子とからなり、風を介して発熱素子からの熱が感熱素子に伝えられ、それぞれの感熱素子における温度上昇の度合いから、発熱素子を原点としたベクトルを求め、風向・風速を求めるものである。なお、詳細は、特願２００２−２２３０２７に開示されている。また、５は、その風向・風速センサに洗浄液を噴射して、風向・風速センサに付着した汚れを洗浄するための洗浄手段である。
【００１０】
光ファイバ７は、センサユニット２とパソコン８とを結ぶ通信手段の一例である。近年、国土交通省によって、主要な幹線道路に沿って光ファイバ７が敷設されている。したがって、かかる光ファイバ７を伝送媒体として利用して、センサユニット２からの信号をパソコン８に対し送信するようにすれば、新たな通信手段を付加することなく、より廉価に大気汚染モニタリングシステム１を形成することができる。もっとも、本発明の通信手段は、かかる光ファイバに限られるものではない。パソコン８は、内蔵されたモデムを介してインターネット１０に接続されている。そこで、センサユニット２に、ＤｏＰａ通信などからインターネット１０を介してパソコン８へ接続するための手段を設け、センサユニット２で取得した信号をパソコン８へ送信することもできる。
【００１１】
サーバとしてのパソコン８は、光ファイバ７を介してセンサユニット２からの信号を取得するとともに、インターネット１０を介して車両１２に載せられたガス分析装置１３から測定信号を取得し、記憶部に格納された濃度演算及び校正演算を行うための測定プログラム及び所定の様式の日報や週報などの報告書を表示部やプリンタへ出力するための報告書作成プログラムに基いて濃度演算及び濃度校正演算を行い、所定の報告書を作成する。すなわち、サーバ８の記憶部には、測定プログラムによる濃度演算及び濃度校正演算後の大気中の測定対象成分の各濃度がセンサユニット認識番号および測定時間情報と関連付けられて記憶されており、パソコン８のＣＰＵは、報告書作成プログラムに基き、センサユニット毎の各時間における各測定対象成分濃度をそれぞれ記憶部から読み込み、所定の報告書を作成する。
【００１２】
車両１２は、本発明の巡回手段を構成する。この車両１２は、全国に複数台配備され、例えば、二週間または一ヶ月に一回など一定周期で上記各センサユニット２が配置された場所を巡回する。車両１２は、各測定対象成分を規格に基いて測定するためのガス分析装置１３を搭載している。そこで、車両１２は、例えば一日など一定の時間一つのセンサユニット２の設置場所に滞在し、サンプリング手段（図示省略。）から大気を導入して連続的にリアルタイム測定を行う。そして、車両１２には、ＤｏＰａ通信１１などからインターネット１０を介してパソコン８に接続するための手段が設けられているので、その測定結果をサーバとしてのパソコン８へリアルタイムに送信し、後述する濃度校正演算を行い、リアルタイムに正確な濃度値を求めることができる。
【００１３】
図２は、センサユニット２の構成を示す図である。図２（ａ）において１４は、大気中の複数の測定対象成分の中から一の成分を選択的に検出する半導体ガスセンサを複数集めてなる検出部である。本例では、その検出部１４には、ＮＯＸ、Ｏ３、ＳＯ２、ＣＯおよびＨＣをそれぞれ検出するＮＯＸガスセンサ１５、Ｏ３ガスセンサ１６、ＳＯ２ガスセンサ１７、ＣＯガスセンサ１８およびＨＣガスセンサ１９が設けられている。
【００１４】
なお、これら半導体ガスセンサとしては、既に多種多用なものが市販されている。したがって、ここで詳細な説明は省略するが、図２（ｂ）の断面図を参照しながら一般的なガスセンサの構成について説明する。２０は、アルミナ、窒化アルミニウム等からなり、耐熱性、絶縁性に優れた基板である。そして、その基板２０上面側には主にＳｎＯ２などの金属酸化物半導体薄膜からなるガス検出部２１が形成され、その下面側には、ガス検出部２１を所定の温度に加熱するためのヒータ２２が設けられている。２３および２４は、白金や金などからなり、ガス検出部２１の電極で、２５および２６は、ヒータ２２に電圧を印加するための電極である。こういった半導体ガスセンサでは、ガス検出部２１の表面に検出対象ガスが吸着したときのそのガス濃度に応じた抵抗変化を電極出力として取り出すことができる。なお、半導体ガスセンサでは、ヒータ２２によるガス検出部２１の加熱温度を制御したり、金属酸化物半導体薄膜成分を改良したり、また金属酸化物半導体薄膜の近傍に触媒層を設けることにより、検出対象ガスに対する所期の感度ないしガス選択性を得ることができる。
【００１５】
３４は、マイクロコンピュータよりなり、センサユニット２の全体の制御を行う制御部で、センサユニット２全体を制御するとともに、測定時間情報を出力するための時計回路を有している。そして、１５ないし１９の各ガスセンサからの出力信号は、それぞれに対応するプリアンプ２７ないし３１にて増幅された後、マルチプレサ３２を介して、ＡＤコンバータ３３に入力され、そこでデジタル信号に変換された後、制御部３４に入力される。なお、３８は、センサユニット２と光ファイバ７とを接続するためのインターフェイスで、検出部２１およびプリアンプ２７ないし３１、マルチプレクサ３２、ＡＤコンバータ３３、制御部３４、インターフェイス３８などからなる電気系統は、埃などによる故障を防止し、また雨などの侵入による短絡を防止するため収納ボックス４内に設けられている。
【００１６】
また、センサユニット２は、それぞれ風向・風速センサ３、温度センサ３５、湿度センサ３６を有し、これら各センサからの気象情報に関する信号も、制御部３３４に入力される。このようにして制御部３４に入力されたこれらの信号は、インターフェイス３８及び光ファイバー７を介して、サーバ８へ送信される。すなわち、ＮＯＸガスセンサ１５、Ｏ３ガスセンサ１６、ＳＯ２ガスセンサ１７、ＣＯガスセンサ１８およびＨＣガスセンサ１９で得られた各測定対象成分の濃度に対応する信号、および風向・風速センサ３、温度センサ３８、湿度センサ３９からの信号は、測定時間情報、センサユニットを認識するためのセンサユニット認識番号とともに、サーバ８に送信される。
【００１７】
洗浄手段５は、制御部３４からの制御信号により、洗浄液を噴射して風向・風速センサ３を適宜に洗浄する。なお、風向・風速センサ３、温度センサ３５、湿度センサ３６および洗浄手段５をも含めてセンサユニット２を構成する場合、本発明のセンサユニット２を用いて気象情報を得たり、また気象変化と大気中の測定対象成分濃度との相関をモニタリングすることが可能になる。ただし、本発明は、センサユニット２に、これら気象観測用のセンサおよびその洗浄手段を設けたものに限定されるものではない。
【００１８】
図３は、車両１２に搭載されるガス分析装置１３の概略的構成を示す。この図３において３９ないし４３は、前記センサユニットで測定される測定対象成分に対応して、ＮＯＸ、Ｏ３、ＳＯ２、ＣＯ、ＨＣの濃度をそれぞれ測定するＮＯＸ分析装置、Ｏ３分析装置、ＳＯ２分析装置、ＣＯ分析装置、ＨＣ分析装置である。なお、３９ないし４３のいずれの分析装置も既に公知で、大気汚染モニタリング用の分析装置として公的に承認された分析装置であるので、各分析装置の詳細な図示およびその説明は省略するが、いずれもおおよそ次の構成よりなる。
【００１９】
ＮＯＸ分析装置３９はクロスモデュレーション方式セミ減圧化学発光法により、Ｏ３分析装置４０はクロスモデュレーション方式紫外線吸収法により、ＳＯ２分析装置４１は紫外線蛍光法により、ＣＯ分析装置４２はクロスモデュレーション方式非分散型赤外線分析法により、ＨＣ分析装置４３はクロスモデュレーション方式選択燃焼法または水素炎イオン化検出法により、大気中のＮＯＸ濃度、Ｏ３濃度、ＳＯ２濃度、ＣＯ濃度、ＨＣ濃度をそれぞれ測定し、所定の演算処理によって各成分濃度値を出力するよう構成されている。そして、３９ないし４３の各分析装置において取得された測定結果としての各濃度信号は、インターフェイス（例えばＲＳ２３２Ｃ）４４を介して、ガス分析装置１３全体の制御を行うパソコン４５に送信される。
【００２０】
また、車両１２には、ガス分析装置１３の他、風向・風速計４６、温度計４７、湿度計４８も搭載されており、これらからの信号も気象データ変換器４９を介してパソコン４５に入力される。なお、これら風向・風速計４６、温度計４７、湿度計４８を車両１２に搭載するかどうかは任意であって、また本発明の風向・風速計４６、温度計４７、湿度計４８としては、上述した風向・風速センサ３、温度センサ３７、湿度センサ３８と同じものである必要はなく、既に公知の種々の風向・風速計、温度計、湿度計を用いることができる。
【００２１】
ガス分析装置１３において取得され、パソコン４５に入力された測定結果としての各測定対象成分の濃度信号は、センサユニット認識番号および測定時間情報とともにサーバとしてのパソコン８に送信される。また、風向・風速計４６、温度計４７、湿度計４８で取得した気象観測用の情報も同様にパソコン８に送信される。すなわち、車両１２またはパソコン４５には、ＤｏＰａ通信１１などからインターネット１０を介してパソコン８に接続するための手段が設けられいる。したがって、このインターネットなどの通信手段を介して濃度信号等をパソコン８にリアルタイムに送信することができる。なお、これら濃度信号等の送信は、センサユニット２と同じ通信手段、すなわち光ファイバ７を介して行ってもよい。
【００２２】
図４は、サーバとしてのコンピュータ８において行われる濃度演算処理および濃度校正演算処理の概略を示すフローチャートで、それら処理を実行する測定プログラムの内容を示している。すなわち、コンピュータ８は、その記憶部に記憶された測定プログラムにしたがって濃度演算処理および濃度校正演算処理を実行する。なお、このサーバは、制御部３７において設けられた時計回路に対し、時刻修正処理指令出力する機能を有している。
【００２３】
では、コンピュータ８が実行する濃度演算処理および濃度校正演算処理について説明する。まず、コンピュータ８は、ＮＯＸ、Ｏ３、ＳＯ２、ＣＯ、ＨＣの濃度に対応する信号、および風向・風速センサ３、温度センサ３８、湿度センサ３９からの信号、測定時間情報およびセンサユニットを認識するためのセンサユニット認識番号を、各センサユニット２から光ファイバー７を介してリアルタイムに取得する（Ｓ１）。そして、コンピュータ８は、各測定対象成分の濃度に対応する信号に基づき、ＮＯＸ、Ｏ３、ＳＯ２、ＣＯ、ＨＣそれぞれの濃度演算を行う（Ｓ２）。
【００２４】
すなわち、コンピュータ８は、その記憶部から、各半導体ガスセンサの出力とその測定対象成分ガス濃度との関係を定めた関数を呼び出し、その関数に基づき測定対象成分濃度値を演算算出する。そして、その濃度値に対し、所定の干渉補正演算を行い、干渉成分濃度を差し引いた正確な測定対象成分濃度を演算算出する。
【００２５】
次に、コンピュータ８は、車両１２からの測定対象成分濃度信号を新たに取得したか否か判断する（Ｓ３）。すなわち、センサユニット２での測定時間と同じ時間において行った測定結果としての濃度信号を車両から新たに取得した場合（Ｓ３：ＹＥＳ）、センサユニット２からの信号に基いて前記ステップ（Ｓ２）で得られたＮＯＸ、Ｏ３、ＳＯ２、ＣＯ、ＨＣの濃度値と車両１２から取得したそれら成分に対応する濃度値とをそれぞれ比較し、成分毎にその比を校正係数として演算算出する（Ｓ３０）。なお、これら成分毎に得られた校正係数は、コンピュータ８の記憶部に保存される。
【００２６】
そして、コンピュータ８は、このように成分毎の校正係数を求めた場合には、その算出した校正係数を用いて、また車両１２からの測定対象成分濃度信号を新たに取得していない場合（Ｓ３：ＮＯ）には、既に保存されている校正係数を記憶部から呼び出して、次のような濃度校正演算処理を行う（Ｓ４）。すなわち、コンピュータ８は、センサユニット２からの信号に基いて前記ステップ（Ｓ２）で得られたＮＯＸ、Ｏ３、ＳＯ２、ＣＯ、ＨＣの各濃度値にそれぞれの校正係数を乗算して濃度校正を行った各濃度値を出力する。そして、コンピュータ８は、この濃度校正によって算出されたＮＯＸ、Ｏ３、ＳＯ２、ＣＯ、ＨＣの各濃度値を測定時間情報、センサユニットを認識番号、風向・風速情報、温度情報および湿度情報と関連付けて記憶部に記憶する（Ｓ５）。なお、これら記憶された情報は、報告書作成プログラムによる所定の報告書作成処理に用いられる。そして、作成された報告書はコンピュータの表示部およびプリンタ（図示省略。）などに出力される。
【００２７】
ここでは、センサユニット２とサーバとしてのコンピュータ８との通信手段として光ファイバ網によるものを示したが、本発明では、無線送信手段をセンサユニット２に設けるとともに、サーバー側に無線受信手段を設け、無線通信によりセンサユニット２での信号を送信するようにするなどの種々の変形が可能である。また、車両１２からサーバ側への測定信号の送信手段についても同様である。なお、このように車両とサーバとの通信手段を設けておけば、測定結果を送信し、常にリアルタイムな濃度校正演算が可能であるが、ガス分析装置１３での測定結果を記憶媒体に記憶し、サーバにおいて記憶媒体内から測定結果を呼び出して既に記憶されている同じ時間の濃度値と比較して新たな校正係数を求め、その同じ時間以降の濃度値に対して濃度校正演算を行うこともできる。
【００２８】
さらに、巡回手段として車両１２を示しているが、本発明の巡回手段はそれに限られず、移動手段であって、上述のガス分析装置１３を搭載可能なものであればよい。そして、そのガス分析装置１３も上述の測定原理を採用したものかかわらず、種々の変形が可能である。すなわち、ガス分析装置１３としては、ＪＩＳなど公的規格を充たすものを採用するのが最適ではあるが、それ自体に感度校正機能を備え、干渉補正を含めた濃度演算機能を有し、センサユニット２に対してより高精度に大気中の測定対象成分濃度を測定しうるものであれば良く、公知の種々のガス分析装置を用いることができる。
【００２９】
そして、センサユニット２および車両１２での測定対象成分も、必ずしも上述の５成分に限られるわけでなく、センサユニット２においては必要（不要）な半導体ガスセンサを増減し、また車両１２においては対応する測定対象成分をより高い精度で測定可能なガス分析装置を増減すればよい。
【００３０】
ここでは、検出部１４を半導体ガスセンサにより構成する最適実施例を示しているが、両端が赤外線透過部材よりなるセル窓により封止され、適宜のサンプリング手段を介して大気Ｓが導入されるセルと、それに対して赤外光を照射するための赤外光源と、各測定対象成分のみの特性吸収帯域の赤外線のみを透過させる複数の光学フィルタと、大気中の測定対象成分により吸収を受けるとともにその光学フィルタを透過した光を検出する焦電型検出器や半導体検出器などの複数の固体検出器をセンサとして設け、その検出器での出力信号を通信手段を介してサーバに送信し、その信号に基づいてサーバにおいて集中的に濃度演算処理および／または濃度校正演算処理などを行うようにしてもよい。このようにした場合も、従来のように測定対象成分毎にそれぞれが濃度演算などを行う分析装置を設けた場合に比べ、センサユニット２を簡易な構成とし、小型化することができる。
【００３１】
また、以上では、一のサーバにより濃度演算処理および濃度校正演算処理を実行するようにしたが、複数のセンサユニットと前記濃度演算処理および濃度校正演算処理を実行する一のサーバとを設けた測定子局を複数設けるとともに、測定子局の各サーバとインターネットなどのネットワーク介して接続された測定親局を設け、その各サーバでリアルタイムに各測定対象成分濃度値を演算算出し、その算出された濃度値をネットワークを介して測定親局に送信し、その測定親局では、センサユニット認識番号に基づいてセンサユニット配置位置に対応する地図上の位置にその濃度を重ねて表示するようにしてもよい。その表示は、濃度に対応して色分け表示により行うこともできる。例えば、天気予報において雨量を日本地図上に重ねて表示した「雨ダス」が利用されているが、雨量に代えて所定の測定対象成分濃度をリアルタイム表示するようにする。本発明において、ある期間毎の報告書作成機能に加え、このような結果出力機能を設けることで、測定対象成分の排出状況や大気汚染状況を視覚的にリアルタイムに監視することができる。
【００３２】
【発明の効果】
以上説明したように、本発明の大気汚染モニタリグシステムにおいては、大気中の測定対象成分を検出するセンサを有するセンサユニットと、そのセンサユニットにおいて取得した測定対象成分濃度に対応する信号を送信するための通信手段と、その通信手段を介して前記信号を取得するサーバとを備え、そのサーバは、前記センサユニットから送信される前記信号に基づいて大気中の測定対象成分の濃度演算行い、大気中の測定対象成分の濃度を求めるようにしているので、各地に設置されるセンサユニットを小型化することができるので、狭いスペースにおいても設置が可能となる。また、サーバにて集中的に演算処理を行うことにより、設置されるセンサユニットを簡易に構成することができる。したがって、センサユニットはより廉価に製造することができるので、設置台数を増加させ、リアルタイムにより多くのモニタリング信号を取得することができる。また、前記大気汚染モニタリングシステムにおいて、前記センサユニットの設置場所を巡回するとともに、前記センサユニットでの測定対象成分に対応する成分の濃度を測定するガス分析装置を設けた巡回手段を備え、前記サーバは、前記ガス分析装置での測定結果を基準として校正係数を求め、その校正係数を用いて前記センサユニットからの信号に基づいて求められる大気中の測定対象成分の濃度を校正するようにした場合には、簡易なシステム構成で、モニタリング情報の精度を一定水準に保つことができる。
【図面の簡単な説明】
【図１】本発明に係る大気汚染モニタリングシステムの一例を示す構成図である。
【図２】センサユニットの構成を示す図である。
【図３】ガス分析装置の概略的構成を示す図である。
【図４】サーバとしてのコンピュータにおいて行われる濃度演算処理および濃度校正演算処理の概略を示すフローチャートである。
【符号の説明】
１・・・大気汚染モニタリングシステム、２・・・センサユニット、７・・・光ファイバー、８・・・コンピュータ、９・・・通信手段、１０・・・インターネット、１１・・・ＤｏＰａ通信、１３・・・ガス分析装置、１４・・・検出部、Ｓ・・・大気
【図１】
2004108857.tif 000003
【図２】
2004108857.tif 000004
【図３】
2004108857.tif 000005
【図４】
2004108857.tif 000006